(57)【要約】【課題】フレーム幅が小さいリール本体にロッドクランプを確実に取り付けできるようにする。【解決手段】ロッドクランプ１６は、竿取付脚部１５との間に釣竿Ｒを保持するためのものであり、リールボディ１２に固定される第１補助部材２０及び第２補助部材２１と、釣竿Ｒを挟持し第１補助部材２０及び第２補助部材２１に固定される竿保持部２２とを有している。第１補助部材２０及び第２補助部材２１は、竿取付脚部１５と近接する内側に設けられリールボディ１２に固定するための貫通孔２０ａ、２１ａと、竿取付脚部１５から貫通孔２０ａ、２１ａより離反する外側にそれぞれ設けられ竿保持部２２を固定するためのねじ孔２０ｂ、２１ｂとを有している。【選択図】      図２
2005021056.tif 000002
【特許請求の範囲】
【請求項１】
竿取付脚部を有するリール本体に前記竿取付脚部を挟んで両側に設けられた第１取付部及び第２取付部に着脱自在に取り付けられ、前記竿取付脚部との間に釣竿を保持するためのロッドクランプであって、
前記竿取付脚部と近接する内側に設けられ前記第１取付部及び前記第２取付部に着脱自在にそれぞれ装着される第１内側装着部及び第２内側装着部と、前記竿取付脚部から前記第１内側装着部部及び前記第２内側装着部より離反する外側にそれぞれ設けられた第１外側装着部及び第２外側装着部とを有する第１補助部材及び第２補助部材と、
前記竿取付脚部との間に前記釣竿を挟持し前記釣竿の外形の一部が接触するように湾曲した保持部と、前記保持部の両側にそれぞれ設けられ前記第１補助部材及び前記第２補助部材の前記第１外側装着部及び前記第２外側装着部に固定する第１固定部及び第２固定部とを有する竿保持部と、を備えたロッドクランプ。
【請求項２】
前記第１補助部材及び前記第２補助部材を前記リール本体の前記第１取付部及び前記第２取付部に固定する第１補助部材固定部材及び第２補助部材固定部材をさらに備えている、請求項１に記載のロッドクランプ。
【請求項３】
前記第１固定部及び前記第２固定部を前記第１補助部材及び前記第２補助部材の前記第１外側装着部及び前記第２外側装着部に固定する第１竿保持部固定部材及び第２竿保持部固定部材をさらに備えている、請求項１又は２に記載のロッドクランプ。
【請求項４】
前記リール本体は、前記竿取付脚部を挟んで両側に形成された第１被係合部及び第２被係合部とを有しており、
前記第１補助部材及び前記第２補助部材は、前記第１被係合部及び前記第２被係合部に係合する回り止め用の第１係合部及び第２係合部を有している、請求項１から３のいずれかに記載のロッドクランプ。
【請求項５】
前記竿取付脚部は、両側が他の部分より内側に切り欠かれた第１切り欠き部及び第２切り欠き部とを有しており、
前記第１補助部材及び前記第２補助部材は、前記第１切り欠き部及び前記第２切り欠き部に前記第１固定部及び前記第２固定部が位置するように装着されている、請求項１から４のいずれかに記載のロッドクランプ。
【請求項６】
竿取付脚部を有するリール本体に前記竿取付脚部を挟んで両側に設けられた第１取付部及び第２取付部に着脱自在に取り付けられ、前記竿取付脚部との間に釣竿を挟持し前記釣竿の外形の一部が接触するように湾曲した保持部と、前記保持部の両側にそれぞれ設けられた第１固定部及び第２固定部とを有するロッドクランプの補助部材であって、
前記竿取付脚部と近接する内側に設けられ前記第１取付部及び前記第２取付部に着脱自在に装着される第１内側装着部及び第２内側装着部と、前記竿取付脚部から前記第１内側装着部部及び前記第２内側装着部より離反する外側にそれぞれ設けられ前記第１固定部及び前記第２固定部が固定される第１外側装着部及び第２外側装着部とを有する第１補助部材及び第２補助部材を備えたロッドクランプの補助部材。
【発明の詳細な説明】
【０００１】
【発明の属する技術分野】
本発明は、ロッドクランプ及びその補助部材、特に、竿取付脚部を有するリール本体に着脱自在に取り付けられ、前記竿取付脚部との間に釣竿を保持するためのロッドクランプ及びその補助部材に関する。
【０００２】
【従来の技術】
ロッドクランプは、竿取付脚部を有するリール本体に着脱自在に取り付けられ、竿取付脚部とで釣竿を保持するためのものである。従来のロッドクランプは、釣竿にリール本体を保持するための竿保持部と、リール本体を釣竿に着脱自在に装着するためのボルト部材とを有している。竿保持部は、釣竿の外形の一部が接触するように湾曲した保持部と、保持部の両側に設けられボルト部材が装着される固定部とを有している。竿保持部は、竿取付脚部と保持部とで釣竿を挟持した状態で、リール本体の竿取付脚部を挟んで両側にボルト部材により固定されている（たとえば、特許文献１参照）。
【０００３】
【特許文献１】
実開平５−１５７６６号公報
【０００４】
【発明が解決しようとする課題】
前記従来のロッドクランプは、竿取付脚部との間に釣竿を保持し、リール本体の竿取付脚部を挟んで両側に取り付けられている。このようなロッドクランプが取り付けられるリール本体では、たとえばリールを片手で容易に操作できるようにするためにスプールの軸方向長さを小さく形成し、リール本体のフレーム幅を小さく形成したものがある。しかし、リール本体のフレーム幅を小さく形成すると、従来の太い釣竿を挟持した場合、竿保持部の両側の固定部がリール本体のフレームより外方に突出してしまい、リール本体にボルト部材装着用のねじ穴を確保するのが困難になるおそれが生じる。
【０００５】
本発明の課題は、フレーム幅が小さいリール本体にロッドクランプを確実に取り付けできるようにすることにある。
【０００６】
【課題を解決するための手段】
発明１に係るロッドクランプは、竿取付脚部を有するリール本体に竿取付脚部を挟んで両側に設けられた第１取付部及び第２取付部に着脱自在に取り付けられ、竿取付脚部との間に釣竿を保持するためのロッドクランプであって、竿取付脚部と近接する内側に設けられ第１取付部及び第２取付部に着脱自在にそれぞれ装着される第１内側装着部及び第２内側装着部と、竿取付脚部から第１内側装着部部及び第２内側装着部より離反する外側にそれぞれ設けられた第１外側装着部及び第２外側装着部とを有する第１補助部材及び第２補助部材と、竿取付脚部との間に釣竿を挟持し釣竿の外形の一部が接触するように湾曲した保持部と、保持部の両側にそれぞれ設けられ第１補助部材及び第２補助部材の第１外側装着部及び第２外側装着部に固定する第１固定部及び第２固定部とを有する竿保持部と、を備えている。
【０００７】
このロッドクランプでは、リール本体の竿取付脚部を挟んで両側に装着される第１補助部材及び第２補助部材と、第１補助部材及び第２補助部材に固定される竿保持部とを有している。このロッドクランプを取り付けるには、まずリール本体の第１取付部及び第２取付部側に第１補助部材及び第２補助部材の第１内側装着部及び第２内側装着部を装着固定する。そして、リール本体の竿取付脚部に釣竿の上部を保持した状態で、釣竿の下部を竿保持部の保持部で保持し、竿保持部の第１固定部及び第２固定部を第１補助部材及び第２補助部材の第１外側装着部及び第２外側装着部を装着固定する。ここでは、リール本体の竿取付脚部を挟んで両側に第１補助部材及び第２補助部材が装着され、第１内側装着部及び第２内側装着部より外方に離反する第１外側装着部及び第２外側装着部に竿保持部が装着固定されているので、フレーム幅が小さいリール本体においても、第１補助部材及び第２補助部材の突出分だけ竿保持部の取り付け部分を十分に確保できる。したがって、フレーム幅が小さいリール本体にロッドクランプを確実に取り付けできる。
【０００８】
発明２に係るロッドクランプは、発明１のロッドクランプにおいて、第１補助部材及び第２補助部材をリール本体の第１取付部及び第２取付部に固定する第１補助部材固定部材及び第２補助部材固定部材をさらに備えている。この場合、たとえば第１取付部及び第２取付部に雌ねじを形成し、第１内側装着部部及び第２内側装着部に貫通孔を形成し、第１補助部材固定部材及び第２補助部材固定部材としてボルト部材を用いることにより、容易かつ確実にリール本体に第１補助部材及び第２補助部材を装着固定できる。
【０００９】
発明３に係るロッドクランプは、発明１又は２のロッドクランプにおいて、第１固定部及び第２固定部を第１補助部材及び第２補助部材の第１外側装着部及び第２外側装着部に固定する第１竿保持部固定部材及び第２竿保持部固定部材をさらに備えている。この場合、たとえば第１外側装着部及び第２外側装着部に雌ねじを形成し、第１固定部及び第２固定部に貫通孔を形成し、第１竿保持部固定部材及び第２竿保持部固定部材としてボルト部材を用いることにより、容易かつ確実にリール本体に第１補助部材及び第２補助部材を装着固定できる。
【００１０】
発明４に係るロッドクランプは、発明１から３のいずれかのロッドクランプにおいて、リール本体は、竿取付脚部を挟んで両側に形成された第１被係合部及び第２被係合部とを有している。第１補助部材及び第２補助部材は、第１被係合部及び第２被係合部に係合する回り止め用の第１係合部及び第２係合部を有している。この場合、たとえば凹部又は凸部により形成された第１被係合部及び第２被係合部に第１係合部及び第２係合部を係合することにより、第１補助部材及び第２補助部材をたとえば１本のねじ部材で固定しても、第１補助部材及び第２補助部材を回り止めできる。
【００１１】
発明５に係るロッドクランプは、発明１から４のいずれかのロッドクランプにおいて、竿取付脚部は、両側が他の部分より内側に切り欠かれた第１切り欠き部及び第２切り欠き部とを有している。第１補助部材及び第２補助部材は、第１切り欠き部及び第２切り欠き部に第１固定部及び第２固定部が位置するように装着されている。この場合、第１切り欠き部及び第２切り欠き部を設けることにより、省スペース化を図ることができる。
【００１２】
発明６に係るロッドクランプの補助部材は、竿取付脚部を有するリール本体に竿取付脚部を挟んで両側に設けられた第１取付部及び第２取付部に着脱自在に取り付けられ、竿取付脚部との間に釣竿を挟持し釣竿の外形の一部が接触するように湾曲した保持部と、保持部の両側にそれぞれ設けられた第１固定部及び第２固定部とを有するロッドクランプの補助部材であって、竿取付脚部と近接する内側に設けられ第１取付部及び第２取付部に着脱自在に装着される第１内側装着部及び第２内側装着部と、竿取付脚部から第１内側装着部部及び第２内側装着部より離反する外側にそれぞれ設けられ第１固定部及び第２固定部が固定される第１外側装着部及び第２外側装着部とを有する第１補助部材及び第２補助部材を備えている。この場合、発明１と同様に、フレーム幅が小さいリール本体においても、第１補助部材及び第２補助部材の突出分だけ竿保持部の取り付け部分を十分に確保でき、フレーム幅が小さいリール本体にロッドクランプを確実に取り付けできる。
【００１３】
【発明の実施の形態】
本発明の一実施形態を採用した両軸受リールは、図１に示すように、レバードラグリールであり、筒状のリール本体１と、リール本体１の中心部に回転自在に装着されたスプール軸２と、スプール軸２に回転自在かつ軸方向移動不能に支持されたスプール３と、リール本体１の側方に配置されたハンドル４とを備えている。また、レバードラグリールは、ハンドル４の回転をスプール３に伝達する回転伝達機構６と、スプール３の糸繰り出し方向の回転を制動するレバードラグ機構７と、レバードラグ機構７をスプール軸２方向に移動させてドラグ力（制動力）を調整するためのドラグ調整機構８と、レバードラグ機構７の糸繰り出し方向の回転を規制する逆転防止機構９とをリール本体１の内部に備えている。
【００１４】
リール本体１は、図１に示すように、金属製の左右１対の皿状の側板１０、１１と、側板１０、１１が両端に印籠結合により同芯に結合され複数のボルト部材１３により固定された金属製の孔あき筒状のリールボディ１２とを有している。側板１０、１１とリールボディ１２との間には、リールを体で支えるために使用する１対のハーネスラグ１４が装着されている。側板１０、１１は、その略中心部で回動自在にスプール軸２の両端を支持する。側板１０、１１のフレーム幅は、スプール３の軸方向長さが小さく形成されているので、通常よりも小さく形成されている。左側の側板１０の中心部内側面には内方に突出する筒状の軸受収納部１０ａが形成されている。ハンドル４側（図１右側）の側板１１の中心部には、スプール軸２を支持するために軸方向外方に突出するボス部１１ａが形成されている。
【００１５】
リールボディ１２の下部には、図１から図３に示すように、リールを釣竿Ｒに装着するための竿取付脚部１５が設けられている。さらに、リールボディ１２の下部には、竿取付脚部１５を挟んで両側に第１補助部材２０及び第２補助部材２１が着脱可能に装着されている。第１補助部材２０及び第２補助部材２１には、図１及び図２に示すように、竿取付脚部１５との間に釣竿Ｒを挟持するための竿保持部２２が設けられている。第１補助部材２０及び第２補助部材２１は、ボルト部材３０、３１（第１補助部材固定部材及び第２補助部材固定部材の一例）によりリールボディ１２に固定されている。竿保持部２２は、ボルト部材３２、３３（第１竿保持部固定部材及び第２竿保持部固定部材の一例）により第１補助部材２０及び第２補助部材２１に固定されている。ここでは、第１補助部材２０及び第２補助部材２１、竿保持部２２及びボルト部材３０〜３３により、竿取付脚部１５との間に釣竿Ｒを保持するためのロッドクランプ１６を構成している。
【００１６】
竿取付脚部１５は、図１から図３に示すように、釣竿Ｒが接触する部分が湾曲した金属製部材である。竿取付脚部１５は、図３に示すように、釣竿Ｒが接触する保持部１５ａと、保持部１５ａの両側に一部が耳状に突出した複数の固定部１５ｂ〜１５ｄとを有している。固定部１５ｂ〜１５ｅは、図示しない貫通孔が形成されており、ボルト部材１７ａ〜１７ｄによりリールボディ１２に固定されている。固定部１５ｂと固定部１５ｃとの間の隙間及び固定部１５ｄと固定部１５ｅとの間の隙間（第１切り欠き部及び第２切り欠き部の一例）には、第１補助部材２０及び第２補助部材２１が配置されている。
【００１７】
ロッドクランプ１６は、図１から図３に示すように、竿取付脚部１５との間に釣竿Ｒを保持するためのものであり、リールボディ１２に固定される第１補助部材２０及び第２補助部材２１と、釣竿Ｒを挟持し第１補助部材２０及び第２補助部材２１に固定される竿保持部２２とを有している。
【００１８】
第１補助部材２０及び第２補助部材２１は、図２に拡大して示すように、一部が突出した略直方体形状の板状部材である。第１補助部材２０及び第２補助部材２１は、竿取付脚部１５と近接する内側に設けられた貫通孔２０ａ、２１ａ（第１内側装着部及び第２内側装着部の一例）と、竿取付脚部１５から貫通孔２０ａ、２１ａより離反する外側にそれぞれ設けられたねじ孔２０ｂ、２１ｂ（第１外側装着部及び第２外側装着部の一例）とを有している。
【００１９】
貫通孔２０ａ、２１ａは、図２に示すように、リールボディ１２の下部に形成されたねじ孔１２ａ、１２ｂ（第１取付部及び第２取付部の一例）と連通し、前述のボルト部材３０、３１を下側から装着することにより、第１補助部材２０及び第２補助部材２１をリールボディ１２に固定している。ねじ孔２０ｂ、２１ｂは、図２及び図３に示すように、貫通孔２０ａ、２１ａより外側、すなわちリールボディ１２より外側の側板１０、１１側に配置されている。ねじ孔２０ｂ、２１ｂは、内周側に雌ねじが形成されている。
【００２０】
第１補助部材２０及び第２補助部材２１は、図２に示すように、リールボディ１２の一部が凹んで形成された凹部１２ｃ、１２ｄ（第１被係合部及び第２被係合部の一例）に係合可能に一部が突出した凸部２０ｃ、２１ｃ（第１係合部及び第２係合部の一例）をさらに有している。ここでは、凸部２０ｃ、２１ｃを凹部１２ｃ、１２ｄに係合させることにより、ボルト部材３０、３１の１箇所でのみ固定しても、第１補助部材２０及び第２補助部材２１を回り止めできる。
【００２１】
竿保持部２２は、図２に示すように、竿取付脚部１５との間に釣竿Ｒを挟持するためのものである。竿保持部２２は、釣竿Ｒの外形の一部が接触するように湾曲した保持部２２ａと、保持部２２ａの両側にそれぞれ設けられ第１補助部材２０及び第２補助部材２１をボルト部材３２、３３により固定するための貫通孔２２ｂ、２２ｃ（第１固定部及び第２固定部の一例）とを有している。貫通孔２２ｂ、２２ｃは、第１補助部材２０及び第２補助部材２１のねじ孔２０ｂ、２１ｂと連通する位置に配置されている。
【００２２】
このようなロッドクランプ１６を用いて釣竿Ｒをリールに固定する手順について、以下に詳細に説明する。
まず、第１補助部材２０及び第２補助部材２１の凸部２０ｃ、２１ｃをリールボディ１２の凹部１２ｃ、１２ｄに係合させる。次に、ボルト部材３０、３１を、下側から第１補助部材２０及び第２補助部材２１の貫通孔２０ａ、２１ａに貫通し、リールボディ１２のねじ孔１２ａ、１２ｂにねじ止めする。これにより、第１補助部材２０及び第２補助部材２１は、リールボディ１２に固定される。
【００２３】
次に、釣竿Ｒの上部を竿取付脚部１５に接触した状態で、釣竿Ｒの下部を竿保持部２２の保持部２２ａを接触させて挟持する。そして、ボルト部材３２、３３を、竿保持部２２の貫通孔２２ｂ、２２ｃに貫通し、第１補助部材２０及び第２補助部材２１のねじ孔２０ｂ、２１ｂにねじ止めする。これにより、竿保持部２２が第１補助部材２０及び第２補助部材２１に固定され、釣竿Ｒが竿取付脚部１５と竿保持部２２とで挟持される。
【００２４】
このようなロッドクランプ１６では、竿取付脚部１５を挟んで両側に第１補助部材２０及び第２補助部材２１が装着され、貫通孔２０ａ、２１ａより外方に離反するねじ孔２０ｂ、２１ｂに竿保持部２２が装着固定されている。このため、側板１０、１１のフレーム幅が小さいリール本体１においても、第１補助部材２０及び第２補助部材２１の突出分だけ竿保持部の取り付け部分を十分に確保できる。したがって、側板１０、１１のフレーム幅が小さいリール本体１にロッドクランプ１６を確実に取り付けることができる。
【００２５】
〔他の実施形態〕
（ａ）  前記実施形態では、ロッドクランプ１６が装着される釣り用リールとして両軸受リールを例にあげて説明したが、これに限定されるものではなく、スピニングリールや片軸受リールにも本発明を適用できる。
【００２６】
（ｂ）  前記実施形態では、第１補助部材２０及び第２補助部材２１は、凸部２０ｃ、２１ｃを有していたが、これに限定されるものではなく、たとえば複数のボルト部材により回り止めを行い凸部２０ｃ、２１ｃを有さない板状部材であってもよい。
【００２７】
（ｃ）  前記実施形態では、ボルト部材３０、３１を、下側から第１補助部材２０及び第２補助部材２１の貫通孔２０ａ、２１ａに貫通し、リールボディ１２のねじ孔１２ａ、１２ｂにねじ止めしていたが、図４に示すように、上側（リールボディ１２側）からリールボディ１２に形成された貫通孔１２ｅ、１２ｆに貫通し、第１補助部材２０及び第２補助部材２１に形成されたねじ孔２０ｄ、２１ｄにねじ止めしてもよい。また、リールボディ１２には、図示しないが、ボルト部材３０、３１の頭部を収納する貫通孔１２ｅ、１２ｆより大径の収納凹部を形成してもよい。
【００２８】
（ｄ）  前記実施形態では、ボルト部材３２、３３を、竿保持部２２の貫通孔２２ｂ、２２ｃに貫通し、第１補助部材２０及び第２補助部材２１のねじ孔２０ｂ、２１ｂにねじ止めしていたが、図５に示すように、ボルト部材３２、３３を、上側（リールボディ１２側）から第１補助部材２０及び第２補助部材２１に装着し、下側から竿保持部２２に装着したナット部材３４、３５に螺合させる構成にしてもよい。また、図６に示すように、頭部を有さないボルト部材３６、３７の一端を、下側からナット部材３８、３９により第１補助部材２０及び第２補助部材２１に装着し、ボルト部材３６、３７の他端を、下側から竿保持部２２に装着したナット部材３４、３５に螺合させる構成にしてもよい。
【００２９】
【発明の効果】
本発明によれば、ロッドクランプにおいて、第１内側装着部及び第２内側装着部より外方に離反する第１外側装着部及び第２外側装着部を有する第１補助部材及び第２補助部材が装着されているので、フレーム幅が小さいリール本体にロッドクランプを確実に取り付けできる。
【図面の簡単な説明】
【図１】本発明の一実施形態による両軸受リールの断面図。
【図２】ロッドクランプの拡大断面視図。
【図３】前記両軸受リールの背面図。
【図４】他の実施形態の図２に相当する図。
【図５】他の実施形態の図２に相当する図。
【図６】他の実施形態の図２に相当する図。
【符号の説明】
１  リール本体
１０、１１  側板
１２  リールボディ
１２ａ、１２ｂ  ねじ孔
１２ｃ、１２ｄ  凹部
１５  竿取付脚部
１６  ロッドクランプ
２０  第１補助部材
２１  第２補助部材
２０ａ、２１ａ  貫通孔
２０ｂ、２１ｂ  ねじ孔
２０ｃ、２１ｃ  凸部
２２  竿保持部
２２ａ  保持部
２２ｂ、２２ｃ  貫通孔
３０〜３３  ボルト部材
Ｒ  釣竿
【図１】
2005021056.tif 000003
【図２】
2005021056.tif 000004
【図３】
2005021056.tif 000005
【図４】
2005021056.tif 000006
【図５】
2005021056.tif 000007
【図６】
2005021056.tif 000008